(57)【要約】【課題】基地局の圏外におかれた場合の消費電流を抑制することができる無線通信装置および制御用データ検索方法を提供することを目的とする。【解決手段】無線部１０１と、基地局の制御用データを受信する時間をカウントする第１の計数部１０８と、基地局の制御用データを受信する間隔をカウントする第２の計数部１０９と、全体を制御する制御部１２０とを有し、制御部１２０は、基地局が送信する制御用データを捕捉するために第１の計数部１０８で決められた時間だけ無線部１０１を基地局の制御用データを受信するように制御し、制御用データを受信できなかった場合、第２の計数部１０９で決められた時間間隔で、再度第１の計数部１０８で決められた時間だけ無線部１０１を基地局の制御用データを受信するように制御し、基地局の制御データを受信できずに受信を繰り返す場合には、第１の計数部１０８で計時される時間を短くする。【選択図】図１
2005167749.tif 000002
【特許請求の範囲】
【請求項１】
制御用データを送信する基地局と通信し、待ち受け中は前記基地局の制御用データを受信する無線通信装置であって、
無線信号の受信を行う無線部と、前記基地局が定期的に送信する制御用データを受信する時間をカウントする第１の計数部と、前記基地局が定期的に送信する制御用データを受信する間隔をカウントする第２の計数部と、全体を制御する制御部とを有し、
前記制御部は、前記基地局が送信する制御用データを捕捉するために前記第１の計数部で決められた時間だけ前記無線部を前記基地局の制御用データを受信するように制御し、前記制御用データを受信できなかった場合、前記第２の計数部で決められた時間間隔で、再度前記第１の計数部で決められた時間だけ前記無線部を前記基地局の制御用データを受信するように制御し、前記基地局の制御データを受信できずに受信を繰り返す場合には、前記第１の計数部で計時される時間を短くすることを特徴とする無線通信装置。
【請求項２】
制御用データを送信する基地局と通信し、待ち受け中は前記基地局の制御用データを受信する無線通信装置であって、
無線信号の受信を行う無線部と、前記基地局が定期的に送信する制御用データを受信する時間と前記基地局が定期的に送信する制御用データを受信できなかった場合に前記無線部を停止する時間とをカウントする計数部と、全体を制御する制御部とを有し、
前記制御部は、前記基地局が送信する制御用データを捕捉するために前記計数部で決められた時間だけ前記無線部を前記基地局の制御用データを受信するように制御し、前記制御用データを受信できなかった場合には、前記計数部で決められた時間だけ前記無線部の受信動作を停止するように制御し、前記計数部で決められた時間経過後に再度前記計数部で決められた時間だけ前記無線部を前記基地局の制御用データを受信するように制御を繰り返し、前記基地局の制御データを受信できずに受信を繰り返す場合には、少なくとも１回は受信時間を前回の受信時間より小さくすると共に受信区間とそれに続く停止区間において受信区間の割合を前回の割合と同じか小さくするように前記計数部で計時される時間を制御することを特徴とする無線通信装置。
【請求項３】
制御用データを送信する基地局と通信し、待ち受け中は前記基地局の制御用データを受信する無線通信装置において前記基地局から送信される制御用データを検索する制御用データ検索方法であって、
検索時間を決定する検索時間決定ステップと、前記検索時間決定ステップで決定された検索時間の間は前記基地局の検索のための受信を行う受信ステップと、前記決定された検索時間内に前記基地局の制御用データを受信できなかった場合には受信を停止する受信停止ステップと、検索開始周期を計測する検索開始周期計測ステップと、前記検索時間内に前記基地局の制御用データを受信できなかった場合には、前記検索周期の満了後に、前記検索時間決定ステップで決定される検索時間を前回の検索時間以下の時間に決定して前記受信ステップへ移行する検索時間逓減ステップとを有することを特徴とする制御用データ検索方法。
【請求項４】
制御用データを送信する基地局と通信し、待ち受け中は前記基地局の制御用データを受信する無線通信装置において前記基地局から送信される制御用データを検索する制御用データ検索方法であって、
検索時間を決定する検索時間決定ステップと、前記検索時間決定ステップで決定された検索時間の間は前記基地局の検索のための受信を行う受信ステップと、前記決定された検索時間内に前記基地局の制御用データを受信できなかった場合には受信を停止する受信停止ステップと、前記受信を停止する停止時間を決定すると共に次回以降の前記停止時間を前記検索時間と前記停止時間との合計に占める受信時間の割合が前回の割合と同じか小さくなるように決定する停止時間決定ステップと、前記停止時間経過後に、前記検索時間決
定ステップで決定される検索時間を少なくとも１回は前回の受信時間より短い時間に決定して前記受信ステップへ移行する検索時間逓減ステップとを有することを特徴とする制御用データ検索方法。
【発明の詳細な説明】
【技術分野】
【０００１】
本発明は、無線信号によって通信を行うＴＤＭＡ方式の無線通信装置および基地局からの制御用データを検索するための制御用データ検索方法に関するものである。
【背景技術】
【０００２】
ＴＤＭＡ方式の無線通信装置では、基地局側より特定のスロットで制御用の信号（以下、「制御信号」あるいは「制御用データ」ともいう）を定期的に送信し、待ち受け中の無線通信装置は、基地局が送信する制御用のスロットを受信し、基地局からの呼び出しに待機するように動作するものが数多く実用化されている。
【０００３】
例えばＰＨＳでは、基地局は１００ｍｓｅｃ周期で制御信号を送信し、待ち受け状態にあるＰＨＳ端末は、基地局の送信する制御信号の中で、ＰＨＳ端末の電話番号で決まる着信群に応じた制御信号の受信を行い、基地局からの呼び出しを待っている（非特許文献１参照）。ＰＨＳ端末では、通話状態から制御信号を受信する待ち受け状態に移行する場合や、待ち受け中の制御信号の受信状態の劣化によって新たな基地局の制御信号の受信を開始する場合には、受信周波数を基地局の制御信号の送信周波数に合わせて連続受信を行い、基地局の制御信号を捕捉した場合、制御信号の送信周期に応じた間欠受信動作に移行し、待ち受け状態に移行する。電池駆動がほとんどであるＰＨＳ端末のような移動体の無線通信装置では、電池の消耗を防ぐために、一定時間の連続受信で基地局の制御信号が受信できなかた場合には受信を停止し、ある程度の時間が経過した後に、再度連続受信を行い、基地局の制御信号の受信を試みる動作を繰り返しながら、基地局の制御信号の検索を継続する。このように、基地局が捕捉できない環境に無線通信装置があり、基地局検索のための連続受信と受信休止を繰り返すように動作する場合、消費電流の観点からは受信時間を短く、休止時間を長くする方が有利であるが、一方、休止期間が長い場合、無線通信装置が基地局の制御信号を受信可能な場所に戻った場合でも、次の基地局検索のための連続受信が起動されるまでは、圏外状態となるため、休止時間をあまり長くすることができない。この問題を解決するために、基地局の捕捉開始直後は、連続受信で基地局が捕捉できなかった場合の休止時間を短くし、連続受信と受信休止を繰り返し、一定時間経過後は、受信休止の時間を長くするように制御を切り替えたり、連続受信と受信休止を繰り返す際に、徐々に受信休止の時間を長くしていくような制御方式が提案されている（特許文献１参照）。
【特許文献１】特開２０００−６９５５２号公報
【非特許文献１】第二世代コードレス電話システム  標準規格  第４．０版  第４章（代表図  第７０頁  図４．４．４）
【発明の開示】
【発明が解決しようとする課題】
【０００４】
このように、上記従来例では、基地局が受信できない環境下で、基地局の検索を繰り返し、消費電流の増加を防ぐために、基地局検索のための受信と休止を繰り返す際、休止期間を途中から長くしたり、順次長くするようにしていたため、長時間基地局の受信ができない状態にいた場合、基地局が受信できる環境下に移動しても、次の基地局検索の起動が遅くなり、待ち受け状態への復帰が遅くなる場合があるという問題点を有していた。
【０００５】
また、基地局検索のための受信と休止を繰り返す際、休止期間を途中から長くしたり、順次長くするようにしていたため、基地局の検索開始の周期が一定ではなく、基地局検索のためのタイマ制御を他のタイマ制御と共用することが困難であった。ＰＨＳのような電池駆動の移動体通信機器の無線通信装置では、待ち受け時の消費電流を極力抑えるため、
基地局の検索や通信を行っていない状態、すなわち無線部が停止状態にあるとき、装置を制御するＣＰＵを停止状態にする方法が用いられている。ＣＰＵが停止状態から起動状態へ復帰するトリガーの１つはタイマ満了によるものであるが、基地局検索のための制御のようなタイマ満了による制御に先立ち、ＣＰＵが停止状態から起動状態へ移行するたびにＣＰＵが動作状態へ復帰するためのＯＳの処理が実効される。従って、例えば基地局の検索と電池残量カウンタの更新等の２つの制御を一定時間中に行う場合、各々の制御をタイマ起動で個別に起動した場合、ＣＰＵが動作状態へ復帰するためのＯＳの処理がそれぞれ必要になるが、１回のタイマ起動で両方の処理を行う場合はＣＰＵが動作状態へ復帰するためのＯＳの処理が１回ですむため、１回のタイマ起動で両方の処理を行う方がＣＰＵの消費電流を小さくすることができ、また、ＣＰＵの負荷を軽減することができる。従って、基地局検索の周期が一定で無い場合は、他の一定周期で起動される制御とタイマ制御を共有することが困難であり、上記のようにＣＰＵの停止を行い消費電流を削減する装置においては消費電流の増加とＣＰＵ負荷の増加を招いてしまうという問題点を有していた。この無線通信装置および制御用データ検索方法では、基地局の圏外におかれた場合の消費電流を抑制することが要求されている。
【０００６】
本発明は、基地局の圏外におかれた場合の消費電流を抑制することができる無線通信装置および基地局の圏外におかれた場合の消費電流を抑制するための制御用データ検索方法を提供することを目的とする。
【課題を解決するための手段】
【０００７】
上記課題を解決するために本発明の無線通信装置は、制御用データを送信する基地局と通信し、待ち受け中は基地局の制御用データを受信する無線通信装置であって、無線信号の受信を行う無線部と、基地局が定期的に送信する制御用データを受信する時間をカウントする第１の計数部と、基地局が定期的に送信する制御用データを受信する間隔をカウントする第２の計数部と、全体を制御する制御部とを有し、制御部は、基地局が送信する制御用データを捕捉するために第１の計数部で決められた時間だけ無線部を基地局の制御用データを受信するように制御し、制御用データを受信できなかった場合、第２の計数部で決められた時間間隔で、再度第１の計数部で決められた時間だけ無線部を基地局の制御用データを受信するように制御し、基地局の制御データを受信できずに受信を繰り返す場合には、第１の計数部で計時される時間を短くする構成を備えている。
【０００８】
これにより、基地局の圏外におかれた場合の消費電流を抑制することができる無線通信装置が得られる。
【０００９】
上記課題を解決するために本発明の制御用データ検索方法は、制御用データを送信する基地局と通信し、待ち受け中は基地局の制御用データを受信する無線通信装置において基地局から送信される制御用データを検索する制御用データ検索方法であって、検索時間を決定する検索時間決定ステップと、検索時間決定ステップで決定された検索時間の間は基地局の検索のための受信を行う受信ステップと、決定された検索時間内に基地局の制御用データを受信できなかった場合には受信を停止する受信停止ステップと、検索開始周期を計測する検索開始周期計測ステップと、検索時間内に基地局の制御用データを受信できなかった場合には、検索周期の満了後に、検索時間決定ステップで決定される検索時間を前回の検索時間以下の時間に決定して受信ステップへ移行する検索時間逓減ステップとを有する構成を備えている。
【００１０】
これにより、基地局の圏外におかれた場合の消費電流を抑制するための制御用データ検索方法が得られる。
【発明の効果】
【００１１】
本発明の無線通信装置は、制御用データを送信する基地局と通信し、待ち受け中は基地局の制御用データを受信する無線通信装置であって、無線信号の受信を行う無線部と、基地局が定期的に送信する制御用データを受信する時間をカウントする第１の計数部と、基地局が定期的に送信する制御用データを受信する間隔をカウントする第２の計数部と、全体を制御する制御部とを有し、制御部は、基地局が送信する制御用データを捕捉するために第１の計数部で決められた時間だけ無線部を基地局の制御用データを受信するように制御し、制御用データを受信できなかった場合、第２の計数部で決められた時間間隔で、再度第１の計数部で決められた時間だけ無線部を基地局の制御用データを受信するように制御し、基地局の制御データを受信できずに受信を繰り返す場合には、第１の計数部で計時される時間を短くすることにより、基地局が受信できない環境下において基地局検索の為の受信時の電流が消費される時間を短くすることができ、基地局が受信できない間に消費される電流を少なくすることができ、また、検索開始時に一時的な基地局の受信エラーが発生した場合、検索開始時は検索時間を長くするように制御を行っており、基地局を受信できなかったと判断して検索を中止し、待ち受け状態への復帰が遅れることを少なくすることができ、さらに、基地局が受信できない環境下で検索開始の起動周期を一定にして検索と休止を繰り返すことにより、受信ができない状態の継続時間にかかわらず、受信可能な状態になったときに待ち受け状態への復帰の遅れを小さくすると同時に他の周期的に起動される制御とのタイマ制御の共用性を高め、ＣＰＵ負荷の増大とそれに伴う消費電流の増加を低減することができるという有利な効果が得られる。
【００１２】
さらに、制御用データを送信する基地局と通信し、待ち受け中は基地局の制御用データを受信する無線通信装置であって、無線信号の受信を行う無線部と、基地局が定期的に送信する制御用データを受信する時間と基地局が定期的に送信する制御用データを受信できなかった場合に無線部を停止する時間とをカウントする計数部と、全体を制御する制御部とを有し、制御部は、基地局が送信する制御用データを捕捉するために計数部で決められた時間だけ無線部を基地局の制御用データを受信するように制御し、制御用データを受信できなかった場合には、計数部で決められた時間だけ無線部の受信動作を停止するように制御し、計数部で決められた時間経過後に再度計数部で決められた時間だけ無線部を基地局の制御用データを受信するように制御を繰り返し、基地局の制御データを受信できずに受信を繰り返す場合には、少なくとも１回は受信時間を前回の受信時間より小さくすると共に受信区間とそれに続く停止区間において受信区間の割合を前回の割合と同じか小さくするように計数部で計時される時間を制御することにより、基地局が受信できない環境下において基地局検索の為の受信時の電流が消費される時間を短くすることができ、基地局が受信できない間に消費される電流を少なくすることができると同時に、基地局が受信できない環境下で消費電流削減のために設けた検索休止時間を長くすることなく検索と休止を繰り返すことにより、受信ができない状態の継続時間にかかわらず、受信可能な状態になったときに待ち受け状態への復帰の遅れを小さくすることができ、また、検索開始時の一時的な基地局の受信エラーが発生した場合、検索開始時は検索時間を長くするように制御を行っており、基地局を受信できなかったと判断して検索を中止し、待ち受け状態への復帰が遅れることを少なくすることができるという有利な効果が得られる。
【００１３】
さらに、制御用データを送信する基地局と通信し、待ち受け中は基地局の制御用データを受信する無線通信装置において基地局から送信される制御用データを検索する制御用データ検索方法であって、検索時間を決定する検索時間決定ステップと、検索時間決定ステップで決定された検索時間の間は基地局の検索のための受信を行う受信ステップと、決定された検索時間内に基地局の制御用データを受信できなかった場合には受信を停止する受信停止ステップと、検索開始周期を計測する検索開始周期計測ステップと、検索時間内に基地局の制御用データを受信できなかった場合には、検索周期の満了後に、検索時間決定ステップで決定される検索時間を前回の検索時間以下の時間に決定して受信ステップへ移行する検索時間逓減ステップとを有することにより、基地局が受信できない環境下におい
て基地局検索の為の受信時の電流が消費される時間を短くすることができ、基地局が受信できない間に消費される電流を少なくすることができ、また、検索開始時に一時的な基地局の受信エラーが発生した場合、検索開始時は検索時間を長くするように制御を行っており、基地局を受信できなかったと判断して検索を中止し、待ち受け状態への復帰が遅れることを少なくすることができ、さらに、基地局が受信できない環境下で検索開始の起動周期を一定にして検索と休止を繰り返すことにより、受信ができない状態の継続時間にかかわらず、受信可能な状態になったときに待ち受け状態への復帰の遅れを小さくすると同時に他の周期的に起動される制御とのタイマ制御の共用性を高め、ＣＰＵ負荷の増大とそれに伴う消費電流の増加を低減することができるという有利な効果が得られる。
【００１４】
さらに、制御用データを送信する基地局と通信し、待ち受け中は基地局の制御用データを受信する無線通信装置において基地局から送信される制御用データを検索する制御用データ検索方法であって、検索時間を決定する検索時間決定ステップと、検索時間決定ステップで決定された検索時間の間は基地局の検索のための受信を行う受信ステップと、決定された検索時間内に基地局の制御用データを受信できなかった場合には受信を停止する受信停止ステップと、受信を停止する停止時間を決定すると共に次回以降の停止時間を検索時間と停止時間との合計に占める受信時間の割合が前回の割合と同じか小さくなるように決定する停止時間決定ステップと、停止時間経過後に、検索時間決定ステップで決定される検索時間を少なくとも１回は前回の受信時間より短い時間に決定して受信ステップへ移行する検索時間逓減ステップとを有することにより、基地局が受信できない環境下において基地局検索の為の受信時の電流が消費される時間を短くすることができ、基地局が受信できない間に消費される電流を少なくすることができると同時に、基地局が受信できない環境下で消費電流削減のために設けた検索休止時間を長くすることなく検索と休止を繰り返すことにより、受信ができない状態の継続時間にかかわらず、受信可能な状態になったときに待ち受け状態への復帰の遅れを小さくすることができ、また、検索開始時の一時的な基地局の受信エラーが発生した場合、検索開始時は検索時間を長くするように制御を行っており、基地局を受信できなかったと判断して検索を中止し、待ち受け状態への復帰が遅れることを少なくすることができるという有利な効果が得られる。
【発明を実施するための最良の形態】
【００１５】
本発明は、基地局の圏外におかれた場合の消費電流を抑制するという目的を、基地局の制御データを受信できずに受信を繰り返す場合には、第１の計数部で計時される受信のための時間を短くすることで実現した。
【００１６】
上記課題を解決するためになされた第１の発明は、制御用データを送信する基地局と通信し、待ち受け中は基地局の制御用データを受信する無線通信装置であって、無線信号の受信を行う無線部と、基地局が定期的に送信する制御用データを受信する時間をカウントする第１の計数部と、基地局が定期的に送信する制御用データを受信する間隔をカウントする第２の計数部と、全体を制御する制御部とを有し、制御部は、基地局が送信する制御用データを捕捉するために第１の計数部で決められた時間だけ無線部を基地局の制御用データを受信するように制御し、制御用データを受信できなかった場合、第２の計数部で決められた時間間隔で、再度第１の計数部で決められた時間だけ無線部を基地局の制御用データを受信するように制御し、基地局の制御データを受信できずに受信を繰り返す場合には、第１の計数部で計時される時間を短くすることとしたものであり、基地局が受信できない環境下において基地局検索の為の受信時の電流が消費される時間を短くすることができ、基地局が受信できない間に消費される電流を少なくすることができ、また、検索開始時に一時的な基地局の受信エラーが発生した場合、検索開始時は検索時間を長くするように制御を行っており、基地局を受信できなかったと判断して検索を中止し、待ち受け状態への復帰が遅れることを少なくすることができ、さらに、基地局が受信できない環境下で検索開始の起動周期を一定にして検索と休止を繰り返すことにより、受信ができない状態
の継続時間にかかわらず、受信可能な状態になったときに待ち受け状態への復帰の遅れを小さくすると同時に他の周期的に起動される制御とのタイマ制御の共用性を高め、ＣＰＵ負荷の増大とそれに伴う消費電流の増加を低減することができるという作用・効果を有する。
【００１７】
上記課題を解決するためになされた第２の発明は、制御用データを送信する基地局と通信し、待ち受け中は基地局の制御用データを受信する無線通信装置であって、無線信号の受信を行う無線部と、基地局が定期的に送信する制御用データを受信する時間と基地局が定期的に送信する制御用データを受信できなかった場合に無線部を停止する時間とをカウントする計数部と、全体を制御する制御部とを有し、制御部は、基地局が送信する制御用データを捕捉するために計数部で決められた時間だけ無線部を基地局の制御用データを受信するように制御し、制御用データを受信できなかった場合には、計数部で決められた時間だけ無線部の受信動作を停止するように制御し、計数部で決められた時間経過後に再度計数部で決められた時間だけ無線部を基地局の制御用データを受信するように制御を繰り返し、基地局の制御データを受信できずに受信を繰り返す場合には、少なくとも１回は受信時間を前回の受信時間より小さくすると共に受信区間とそれに続く停止区間において受信区間の割合を前回の割合と同じか小さくするように計数部で計時される時間を制御することとしたものであり、基地局が受信できない環境下において基地局検索の為の受信時の電流が消費される時間を短くすることができ、基地局が受信できない間に消費される電流を少なくすることができると同時に、基地局が受信できない環境下で消費電流削減のために設けた検索休止時間を長くすることなく検索と休止を繰り返すことにより、受信ができない状態の継続時間にかかわらず、受信可能な状態になったときに待ち受け状態への復帰の遅れを小さくすることができ、また、検索開始時の一時的な基地局の受信エラーが発生した場合、検索開始時は検索時間を長くするように制御を行っており、基地局を受信できなかったと判断して検索を中止し、待ち受け状態への復帰が遅れることを少なくすることができるという作用・効果を有する。
【００１８】
上記課題を解決するためになされた第３の発明は、制御用データを送信する基地局と通信し、待ち受け中は基地局の制御用データを受信する無線通信装置において基地局から送信される制御用データを検索する制御用データ検索方法であって、検索時間を決定する検索時間決定ステップと、検索時間決定ステップで決定された検索時間の間は基地局の検索のための受信を行う受信ステップと、決定された検索時間内に基地局の制御用データを受信できなかった場合には受信を停止する受信停止ステップと、検索開始周期を計測する検索開始周期計測ステップと、検索時間内に基地局の制御用データを受信できなかった場合には、検索周期の満了後に、検索時間決定ステップで決定される検索時間を前回の検索時間以下の時間に決定して受信ステップへ移行する検索時間逓減ステップとを有することとしたものであり、基地局が受信できない環境下において基地局検索の為の受信時の電流が消費される時間を短くすることができ、基地局が受信できない間に消費される電流を少なくすることができ、また、検索開始時に一時的な基地局の受信エラーが発生した場合、検索開始時は検索時間を長くするように制御を行っており、基地局を受信できなかったと判断して検索を中止し、待ち受け状態への復帰が遅れることを少なくすることができ、さらに、基地局が受信できない環境下で検索開始の起動周期を一定にして検索と休止を繰り返すことにより、受信ができない状態の継続時間にかかわらず、受信可能な状態になったときに待ち受け状態への復帰の遅れを小さくすると同時に他の周期的に起動される制御とのタイマ制御の共用性を高め、ＣＰＵ負荷の増大とそれに伴う消費電流の増加を低減することができるという作用・効果を有する。
【００１９】
上記課題を解決するためになされた第４の発明は、制御用データを送信する基地局と通信し、待ち受け中は基地局の制御用データを受信する無線通信装置において基地局から送信される制御用データを検索する制御用データ検索方法であって、検索時間を決定する検
索時間決定ステップと、検索時間決定ステップで決定された検索時間の間は基地局の検索のための受信を行う受信ステップと、決定された検索時間内に基地局の制御用データを受信できなかった場合には受信を停止する受信停止ステップと、受信を停止する停止時間を決定すると共に次回以降の停止時間を検索時間と停止時間との合計に占める受信時間の割合が前回の割合と同じか小さくなるように決定する停止時間決定ステップと、停止時間経過後に、検索時間決定ステップで決定される検索時間を少なくとも１回は前回の受信時間より短い時間に決定して受信ステップへ移行する検索時間逓減ステップとを有することとしたものであり、基地局が受信できない環境下において基地局検索の為の受信時の電流が消費される時間を短くすることができ、基地局が受信できない間に消費される電流を少なくすることができると同時に、基地局が受信できない環境下で消費電流削減のために設けた検索休止時間を長くすることなく検索と休止を繰り返すことにより、受信ができない状態の継続時間にかかわらず、受信可能な状態になったときに待ち受け状態への復帰の遅れを小さくすることができ、また、検索開始時の一時的な基地局の受信エラーが発生した場合、検索開始時は検索時間を長くするように制御を行っており、基地局を受信できなかったと判断して検索を中止し、待ち受け状態への復帰が遅れることを少なくすることができるという作用・効果を有する。
【００２０】
（実施の形態１）
図１は本発明の実施の形態１による無線通信装置を示すブロック図であり、図２（ａ）は基地局の制御用データの送信タイミングを示すタイミング図、図２（ｂ）は無線通信装置（端末）における受信タイミングを示すタイミング図、図３は無線通信装置における検索タイミングを示すタイミング図、図４は図１の無線通信装置の動作を示すフローチャートである。
【００２１】
図１において、１００は基地局（図示せず）と無線信号の入出力を行うアンテナ、１０１は送信データを無線信号に変調し送信する無線信号を生成し、受信した無線信号を復調する無線部、１０２は送信データにビット同期データ、フレーム同期データ、誤り検出符号等を付加してＴＤＭＡの１スロットで送信されるデータ列を生成し、受信した信号から音声データや制御用データを取り出し、エラー判定を行い出力するフレーム処理部、１０３は送信するアナログの音声信号をデジタル変換し、受信した音声データをアナログの音声信号に変換する音声処理部、１０４は音声信号を入力するマイク、１０５は音声信号を出力するスピーカ、１０６は電話番号等を入力する操作部、１０７は入力された電話番号、日時、通話時間、無線通信装置の動作状態、電池残量等の表示を行う表示部、１０８は基地局検索の際に検索時間をカウントする第１の計数部、１０９は基地局検索の起動周期をカウントする第２の計数部、１２０は装置全体を制御する制御部である。
【００２２】
図１に示す無線通信装置は、基地局を介して他の電話機や無線通信装置との音声の通信が可能である。無線通信装置から他の装置に電話をかける場合は、使用者は、操作部１０６から相手の電話番号と通話要求を行う通話キーとを入力し発信を行う。制御部１２０は、操作部１０６で発信操作が行われると、基地局を呼び出す制御信号をフレーム処理部１０２に送り、フレーム処理部１０２は、基地局の受信のタイミングに合わせて制御部１２０からの制御用データにビット同期データ、フレーム同期データ、誤り検出符号等を付加して無線部１０１に出力し、フレーム処理部１０２から出力されたデータ列は無線部１０１にて無線信号に変換されてアンテナ１００より送信される。制御部１２０は、基地局からの応答を待つように無線部１０１、フレーム処理部１０２を制御し、基地局からの応答を受信し、基地局からの応答受信後、呼接続のための制御用データのやり取りを実施する。制御部１２０は、相手が応答したことが基地局から通知されると、音声通話を開始するように制御を行い、受信した音声信号は音声処理部１０３でアナログ変換されスピーカ１０５から出力され、マイク１０４から入力された音声信号は、音声処理部１０３でデジタル変換され、フレーム処理部１０２の処理をへて、無線部１０１で無線信号に変換され出
力されるようになり、音声通話が開始される。
【００２３】
また、図１の無線通信装置に他の装置から電話をかけると、基地局は、無線通信装置に着信を通知する制御用データを送信し、着信を通知する制御用データを無線通信装置が受信すると、上記の発信動作と同様に基地局と呼制御の制御用データのやり取りを行い、制御部１２０は、表示部１０７を着信を通知する表示を行うよう制御し、使用者が操作部１０６から着信応答の操作を行うと、音声通話を開始するよう制御を行う。上記発信動作および着信動作では、基地局と無線通信装置間の無線の送受信はＴＤＭＡ方式を用いて行うため、各々の送受信の同期を取る必要がある。このため、基地局は、定期的に無線信号を送信しており、この信号を基準として無線通信装置は、基地局とのＴＤＭＡ方式のフレーム及びスロットの同期を確立する。基地局が定期的に送信する同期用の信号（以下、「制御チャネル」と記す）には、その制御チャネルの送信がどのスロットで送信されているかを示すスロット情報や送信している基地局のＩＤ情報等のように、無線通信装置が基地局のＴＤＭＡのフレーム及びスロットの同期を確立するのに必要な情報が含まれている。また、無線通信装置への着信の通知も制御チャネルで通知される。無線通信装置は、発信の際は、通信可能な基地局のうちで受信状態の良い基地局を選択する目的で、基地局の制御チャネルの検索を行い、受信レベルの高い基地局に通話のための要求を実施する。また、無線通信装置は、通話中以外の状態のとき、着信のための基地局からの呼び出しを受信するため、制御チャネルの受信を行っている。
【００２４】
次に、無線通信装置の通話開始時や、通話終了後の待ち受け動作移行時、待ち受け中の基地局の制御チャネルの受信状態が劣化した時等に起動される基地局の制御チャネルの検索動作について説明を行う。
【００２５】
基地局は、上記説明のごとく、定期的に制御チャネルを決まった周波数で送信している。この制御チャネルの受信を行うために、制御部１２０は、制御チャネルの送信周波数の信号を受信するように無線部１０１の受信周波数を設定し、受信状態にする。基地局から送信された制御チャネルは、アンテナ１００を介し無線部１０１で復調され、フレーム処理部１０２に送られる。フレーム処理部１０２では、復調データに含まれるフレーム同期データを基に制御チャネルに含まれる制御用データの抽出を行う。抽出された制御用データは、受信エラーがなければ制御部１２０に送られ、制御部１２０で制御用データの解析が行われ、基地局ＩＤ，スロット情報等が取り出される。以後、該当基地局との通信を開始する場合は、制御部１２０は、受信した制御スロットのタイミングとスロット情報を基に送受信タイミングを決定して通信を開始するように無線部１０１、フレーム処理部１０２等を制御する。また、該当基地局と同期状態に移行する場合は、制御部１２０は、基地局の制御チャネルの送信周期に合わせて制御チャネルの受信を行うように無線部１０１、フレーム処理部１０２等を制御する。制御部１２０は、基地局の制御チャネルを受信するために、上記制御に加え、基地局の制御チャネルを検索する時間の管理を行う。通話終了時や待ち受け中の基地局が受信できなくなり他の基地局に待ち受けを変更する場合等、制御チャネルの検索を開始する場合には、制御部１２０は、上記のごとく制御チャネルの受信を開始すると同時に、第１の計数部１０８に検索時間の設定を、第２の計数部１０９に検索周期の設定を行い、それぞれ、時間計測のためのカウントがスタートされる。制御チャネルの受信を行う間、第１の計数部１０８、第２の計数部１０９ではカウントが進み、先に設定された値に達すると、制御部１２０に時間が満了したことが通知される。第１の計数部１０８でカウントされる検索時間内に基地局の制御チャネルの受信ができなかった場合、すなわち第１の計数部１０８より、時間が満了したことが制御部１２０に通知されると、制御部１２０は、検索動作の１回目が受信不可であったことを記憶すると同時に、無線部１０１、フレーム処理部１０２を受信停止状態にするように制御する。そして、第２の計数部１０９より、検索周期の時間が満了したことが制御部１２０に通知されると、制御部１２０は、再び検索動作を行うように、上記同様に、無線部１０１、フレーム処理
部１０２、第１の計数部１０８、第２の計数部１０９の制御を行う。この時、第１の計数部１０８に設定される値は前回設定された値より小さな値が設定される。以後、基地局の制御チャネルが受信できるまで、上記同様に、第２の計数部１０９でカウントされる時間間隔で、第１の計数部１０８でカウントされる時間だけ制御チャネルの受信を行うように動作する。ここで、制御部１２０は、基地局の検索開始から、基地局の制御チャネルを受信するまで、第１の計数部１０８と第２の計数部１０９からの時間満了の通知に従って受信と受信停止を繰り返すよう制御を行うが、検索のための受信を繰り返す毎に受信時間が短くなるように第１の計数部１０８の設定を設定する。そして、あらかじめ決められた回数以上に受信と停止を繰り返した以降は、第１の計数部１０８に設定する受信時間を固定の値にする。なお、このときの受信時間は、基地局の制御チャネルの送信周期より短くならないようにし、長時間基地局が受信できずに受信と停止を繰り返した場合でも、受信起動の際は、受信時間中に必ず基地局の送信タイミングと一致するタイミングがあるように基地局検索のための連続受信の時間が設定される。
【００２６】
次に、図２を用いて、無線通信装置が基地局の制御チャネルの検索を行い、待ち受けに移行する動作について説明を行う。
【００２７】
図２の例では、基地局は、Ｔ０の時間間隔で制御チャネルの送信を行っている例を示している。無線通信装置は、検索動作が開始されると、まず、無線部１０１の受信回路を制御チャネルの受信状態になるように動作し、これにより連続受信状態になる。そして、基地局の制御チャネルを受信すると、連続受信を停止し、以降、基地局の制御チャネルの送信周期に合わせて受信を行い、その他の期間は受信を停止する間欠受信状態に移行する。
【００２８】
次に、図３を用いて、基地局の制御チャネルが受信できなかった場合の動作について説明を行う。
【００２９】
図３において、無線通信装置は、基地局の検索を開始すると、まず１回目の検索ではＴ１の間受信を行い、受信を停止する。そして、２回目の検索ではＴ１より短いＴ２の間受信を行い、３回目の検索ではＴ２より短いＴ３の間受信を行い、それ以降の検索ではＴ３の一定時間の検索を行うよう制御する。また、それぞれの検索の周期は、Ｔ０で一定であり、検索のための受信の間の受信停止中の時間は、検索周期が一定となるように検索時間の変化に応じて長くなる。
【００３０】
なお、基地局の制御チャネルの検索を行うための受信時間の制御は、上記例のごとく、受信毎に毎回短くする方法のほかに、ある一定回数毎に時間を短縮していく方法や、或る一定回数受信を行うまで受信時間を長く設定し、それ以後は順次短くしていく方法、あるいは或る一定回数受信を行うまで受信時間を長く設定し、それ以降は受信時間を短く設定する方法等があり、検索開始後にいずれかのタイミングで受信時間を短く変更するように制御することによって、基地局の制御チャネルが受信できない環境下で基地局検索のための受信を行う際の消費電流の増加を抑える。
【００３１】
次に、基地局の制御チャネルの受信ができずに検索動作を繰り返す制御と他の周期的に行われる制御とを組み合わせて消費電流の削減を図る動作について説明を行う。
【００３２】
図１の無線通信装置は、基地局の制御チャネルが受信できない状態にあるとき、上記説明の基地局の制御チャネルの検索を行う制御のほかに、ＬＣＤの表示リフレッシュや電池残量の計算等のような周期的な制御を行っている。無線通信装置は、基地局検索を繰り返している状態で検索のための連続受信の間の区間は受信停止状態に有り、消費電流を削減するために装置を制御する制御部１２０のＣＰＵは、処理を一時的に停止する状態（以下、「ＨＡＬＴ状態」と記す）に遷移する。この状態から、次の基地局検索のタイミングが
到来すると、割り込み処理によりＣＰＵが起動され、受信動作を開始する。この時、ＣＰＵは、受信を開始するように無線部１０１等の制御を行った後に引き続き、ＬＣＤの表示リフレッシュや電池残量の計算等の周期的な処理を実行する。そして、受信の処理とＬＣＤの表示リフレッシュや電池残量の計算等の周期的な処理が終了すると再びＣＰＵはＨＡＬＴ状態に遷移する。このように、無線通信装置は、周期的に実行される制御が多くあり、また、消費電流を削減するために、ＣＰＵが何らかの処理を行う必要がないときはＣＰＵをＨＡＬＴ状態にし、タイマ割り込みでＣＰＵを再起動する方式が採用されており、基地局の制御チャネルが受信できない状態で、基地局の検索動作を一定周期で行う場合、他の周期的に行う制御と検索動作の制御とを組み合わせて処理することが容易となり、ＣＰＵをＨＡＬＴ状態から起動状態に遷移させるための処理の回数を減らすことが可能となり、この処理によるＣＰＵの負荷と動作電流の削減が可能となる。
【００３３】
次に、図４を用いて、図１の無線通信装置が基地局の検索を行う検索方法（制御用データ検索方法）を説明する。
【００３４】
図４のフローチャートは、無線通信装置が電源オン時、通話終了後あるいは待ち受け中の基地局の制御チャネルの受信が困難になった時等に基地局の制御チャネルの検索を行う場合の制御フローを示している。
【００３５】
基地局の制御チャネルの検索が開始されると、まず初期値の設定として検索回数と初回の検索時間Ｔが設定される（Ｓ１）。本実施の形態では、初回の検索時間を１０秒に設定する。引き続き、検索周期をカウントする周期タイマと検索時間をカウントする検索タイマが起動され、それぞれの経過時間のカウントを開始すると共に、検索開始の制御すなわち無線部１０１の受信回路を基地局の制御チャネルの受信が可能な状態にし連続受信状態にする制御が実施される（Ｓ２）。本実施の形態では、ステップＳ２で設定される検索周期タイマの設定値を２０秒に設定する。また、この初回のステップＳ２で設定される検索タイマの設定値は、ステップＳ１で設定した検索時間Ｔの値すなわち１０秒が設定される。検索開始後は、基地局が受信できたか否かの判定（Ｓ３）と検索タイマが満了したか否かの判定が行われる（Ｓ４）。連続受信中に基地局が受信された場合、基地局が受信できたか否かの判定（Ｓ３）にて“Ｙｅｓ”となり検索が終了し、引き続き、基地局の制御チャネルの送信タイミングに同期した間欠受信動作へ移行する（図示せず）。基地局の制御チャネルが受信できない状態が続く場合、検索タイマが満了するまで基地局の検出が継続され、検索タイマが満了した場合、検索タイマが満了したか否かの判定が行われるステップＳ４にて“Ｙｅｓ”となり、検索を停止する制御すなわち受信を停止する制御（ステップＳ５）へ移行する。検索を停止した後、周期タイマが満了したか否かの判定が行われる（Ｓ６）。周期タイマが満了した場合、周期タイマが満了したか否かの判定が行われるステップＳ６にて“Ｙｅｓ”となり、検索回数をカウントアップするステップＳ７に移行する。そして、検索回数の判定を行い（Ｓ８）、検索回数が規定回数に達したか否かの判定を行い、規定回数未満であれば、検索回数に応じて検索時間を変更するステップＳ９に移行し、規定回数以上であれば、検索時間を固定値に設定するステップＳ１０に移行する。本実施の形態では、ステップＳ８で判定される検索回数の規定回数を４回とし、検索回数（検索リトライ回数）が規定回数に達していない場合は検索時間を２秒ずつ減算し、検索回数が規定回数に達した後は検索時間を４秒にするように制御を行う。従って、本実施の形態では、１回目の検索時間が満了した場合、次回の検索時間は８秒が設定される。ステップＳ９またはステップＳ１０にて次回の検索時間が設定された後はステップＳ２に戻り、前回と同じ値に設定された検索周期をカウントする周期タイマと、ステップＳ９またはステップＳ１０にて設定された検索時間の値に設定された検索時間をカウントする検索タイマとが起動され、それぞれの経過時間のカウントを開始すると共に、検索開始の制御すなわち受信回路を基地局の制御チャネルの受信が可能な状態にし連続受信状態にする制御が実施され、以後、基地局の制御チャネルが受信されるまで、周期タイマに設定される時
間間隔で、検索時間Ｔによって決定される時間の連続受信が繰り返される。従って、本実施の形態の場合は、２０秒間隔で基地局検索の受信が開始され、１回目１０秒間、２回目８秒間、３回目６秒間、４回目以降は４秒間の連続受信が継続される。
【００３６】
なお、本実施の形態では、検索回数に応じた検索時間の設定を検索時間に応じて一様に減算する例を示したが、検索時間を短くする割合を最初は小さくし、徐々に大きくする方法も有効である。例えば、１回目の検索時間１０秒、２回目の検索時間９秒、３回目の検索時間７秒、４回目以降の検索時間４秒というように制御を行う。この場合、新たな基地局の制御チャネルの検索動作が起動された直後は受信時間が長く設定されるので、通話終了時や基地局のエリア内での他基地局への待ち受け変更時など、基地局の制御チャネルを受信可能な状態で検索動作が起動された場合、フェージングによる一時的な受信レベルの低下や無線干渉による妨害等による一時的な受信エラーの発生で基地局の制御チャネルの受信ができなかった場合において、基地局が受信できないと判断して受信を停止し、待ち受け状態へ復帰するのが遅くなる危険が少なく、使用者の利便性が向上し、また、基地局の制御チャネルを受信できない状態が継続する場合はより早く受信時間を短くできるので、消費電流の削減効果を大きくすることができる。
【００３７】
また、本実施の形態では、ステップＳ８での検索回数による分岐を２つとしたが、複数の分岐を設け、より細かな検索回数に応じた検索時間の決定も可能である。例えば、検索回数が１０回未満は検索時間を１０秒、１０回以上１００回未満は検索時間を７秒、１００回以上は４秒にするような制御も可能である。
【００３８】
また、本実施の形態では、基地局検出結果の判定やタイマ満了の判定をＣＰＵで行いながら各ステップへ移行する制御フローの例を示したが、割り込み処理によるステップの移行も可能である。すなわち、ＣＰＵはステップＳ２で周期タイマと検索タイマを起動し、無線部１０１を連続受信状態にした時点でＨＡＬＴ状態に移行し、ハードウェア（例えば実施の形態１のフレーム処理部）からの基地局の受信を通知する割り込みにてＣＰＵが再起動され、検索終了状態に移行し、また検索タイマ満了の割り込みにてＣＰＵが再起動されてステップＳ５に移行し、受信停止後ＣＰＵをＨＡＬＴ状態にし、周期タイマ満了の割り込みにてＣＰＵが再起動されステップＳ７に移行する方法も可能である。
【００３９】
以上のように本実施の形態によれば、制御用データを送信する基地局と通信し、待ち受け中は基地局の制御用データを受信する無線通信装置であって、無線信号の受信を行う無線部１０１と、基地局が定期的に送信する制御用データを受信する時間をカウントする第１の計数部１０８と、基地局が定期的に送信する制御用データを受信する間隔をカウントする第２の計数部１０９と、全体を制御する制御部１２０とを有し、制御部１２０は、基地局が送信する制御用データを捕捉するために第１の計数部１０８で決められた時間だけ無線部１０１を基地局の制御用データを受信するように制御し、制御用データを受信できなかった場合、第２の計数部１０９で決められた時間間隔で、再度第１の計数部１０８で決められた時間だけ無線部１０１を基地局の制御用データを受信するように制御し、基地局の制御データを受信できずに受信を繰り返す場合には、第１の計数部１０８で計時される時間を短くすることにより、基地局が受信できない環境下において基地局検索の為の受信時の電流が消費される時間を短くすることができ、基地局が受信できない間に消費される電流を少なくすることができ、また、検索開始時に一時的な基地局の受信エラーが発生した場合、検索開始時は検索時間を長くするように制御を行っており、基地局を受信できなかったと判断して検索を中止し、待ち受け状態への復帰が遅れることを少なくすることができ、さらに、基地局が受信できない環境下で検索開始の起動周期を一定にして検索と休止を繰り返すことにより、受信ができない状態の継続時間にかかわらず、受信可能な状態になったときに待ち受け状態への復帰の遅れを小さくすると同時に他の周期的に起動される制御とのタイマ制御の共用性を高め、ＣＰＵ負荷の増大とそれに伴う消費電流の増加
を低減することができる。
【００４０】
（実施の形態２）
図５は本発明の実施の形態２による無線通信装置を示すブロック図であり、図６（ａ）、（ｂ）、（ｃ）は検索のタイミングを示すタイミング図、図７は図５の無線通信装置の動作を示すフローチャートである。
【００４１】
図５において、アンテナ１００、無線部１０１、フレーム処理部１０２、音声処理部１０３、マイク１０４、スピーカ１０５、操作部１０６、表示部１０７は図１と同様のものなので、同一符号を付し、その説明は省略する。１１０は基地局検索の際に検索時間と基地局検索の間の停止時間とをカウントする計数部、１３０は装置全体を制御する制御部である。なお、図５の無線通信装置における通信中の動作、基地局の制御チャネルの連続受信を行い制御チャネルが受信され制御チャネルに同期した間欠受信に移行する動作については実施の形態１と同様の動作であり、説明を省略する。ここでは、図５の無線通信装置が基地局の制御チャネルの受信ができずに連続受信を繰り返す際の動作について説明を行う。
【００４２】
図５の無線通信装置が基地局の制御チャネルを検索する場合、制御部１３０は、無線部１０１およびフレーム処理部１０２を基地局の制御チャネルの受信を行う状態に制御し、無線部１０１およびフレーム処理部１０２にて基地局検索のための連続受信が開始されると共に、制御部１３０は、計数部１１０に検索時間の設定を行い、計数部１１０にて検索時間のカウントが開始される。計数部１１０から検索時間の満了が制御部１３０に通知される前に、基地局の制御チャネルが受信され、フレーム処理部１０２より制御部１３０に制御チャネルの受信が通知されると、制御部１３０は、計数部１１０のカウントを停止するように計数部１１０に通知し、以後、無線部１０１、フレーム処理部１０２を基地局の送信する制御チャネルの送信周期に合わせて間欠受信を行うように制御する。基地局の制御チャネルが受信されずに計数部１１０でカウントしている検索時間が満了し、計数部１１０より、制御部１３０に検索時間満了が通知されると、制御部１３０は、無線部１０１およびフレーム処理部１０２を基地局の制御チャネルの受信を停止するように制御し、無線部１０１およびフレーム処理部１０２にて基地局検索のための連続受信が停止されると共に、制御部１３０は、計数部１１０に検索停止時間の設定を行い、計数部１１０にて検索停止時間のカウントが開始される。そして、計数部１１０でカウントしている検索停止時間が満了し、計数部１１０より制御部１３０に検索停止時間満了が通知されると、制御部１３０は、基地局の制御チャネルの受信を再開するために、無線部１０１およびフレーム処理部１０２を基地局の制御チャネルの受信を行う状態に制御し、無線部１０１およびフレーム処理部１０２にて基地局検索のための連続受信が開始されると共に、制御部１３０は、計数部１１０に検索時間の設定を行い、計数部１１０にて検索時間のカウントが開始される。このとき、計数部１１０に設定される検索時間は先に設定した時間より短い時間が設定される。以後、基地局の制御チャネルが受信されるまで、計数部１１０にてカウントされる検索時間と検索停止時間とに応じて、連続受信の時間を徐々に短くしながら連続受信と停止が繰り返される。なお、或る一定回数の連続受信と停止が繰り返された後は検索時間が一定になるように制御部１３０は制御を行い、この際の最短の連続受信を行う検索時間は基地局の制御チャネルの送信間隔より長くなるように選ばれる。
【００４３】
また、上記のように検索のための連続受信と停止を繰り返す場合、計数部１１０でカウントされる休止期間を可変に制御してもよい。すなわち、休止期間も徐々に短くし、休止期間中に基地局の受信が可能な状態になったときにより早く基地局検索のための連続受信が起動され待ち受け状態（基地局の制御チャネルに同期して間欠受信を行っている状態）に戻れるようにする方法も可能である。この場合、基地局の制御チャネル検索のための連続受信と停止を繰り返す際の消費電流を小さくするためには、連続受信と停止を繰り返す
場合には連続受信時間と停止時間の比率において停止時間の占める割合が大きくなるように受信時間と停止時間を変える必要がある。例えば、検索開始直後は受信時間を１０秒、停止時間を５秒にし、最終的には受信時間、停止時間共に１秒にするように受信時間と停止時間の制御を行う。この場合、検索開始時の受信時間と停止時間の比率は２：１、最終的な比率は１：１となっており、連続受信と停止時間の合計時間の間の消費電流の平均値が低減される。また、休止時間を可変にする制御を行う場合、休止時間は徐々に長くするように制御してもよい。例えば、検索開始直後は受信時間を１０秒、停止時間を５秒にし、最終的には受信時間を１秒、停止時間を１０秒するように受信時間と停止時間を可変にする制御を行う。この場合、検索開始時の受信時間と停止時間の比率は２：１、最終的な比率は１：１０となっており、さらに消費電流の削減効果がある。
【００４４】
次に、図６を用いて、図５の無線通信装置で基地局の制御チャネルの検索と停止を繰り返す際の制御タイミングの例を説明する。
【００４５】
図６（ａ）は、停止期間を一定にし、検索時間を徐々に短くする例を示している。図６（ａ）では、検索開始直後のＴ１の時間、基地局検索のための連続受信を行い、制御チャネルが受信できない場合は、Ｔ０の時間、受信を停止し、その後、Ｔ２の時間基地局検索のための連続受信を行う。再度、制御チャネルが受信できない場合は、Ｔ０の時間、受信を停止し、その後、Ｔ３の時間基地局検索のための連続受信を行う。以降、Ｔ０の時間の受信停止とＴ３の時間の連続受信とを繰り返しながら、制御チャネルが受信されるまで基地局の検索動作を行う。本実施の形態では、検索のための連続受信がＴ１＞Ｔ２＞Ｔ３となっており、連続受信の時間を徐々に短くしているので、基地局の制御チャネルが受信できない状態が継続しても、消費電流を抑えることができる。また、通話終了時や基地局のエリア内での他基地局への待ち受け変更時など、基地局の制御チャネルを受信可能な状態で検索動作が起動された場合、フェージングによる一時的な受信レベルの低下や無線干渉による妨害等による一時的な受信エラーの発生で基地局の制御チャネルの受信ができなかった場合において、検索開始直後は検索時間が長くなるように制御を行っており、基地局が受信できないと判断し受信を停止し、待ち受け状態へ復帰するのが遅くなる危険が少なく、使用者の利便性が向上する。また、休止時間がＴ０一定であるため、休止時間の決定のための処理が不要になり、処理の軽減が図れ、また、基地局が受信できる状態になったとき、検索開始からの経過時間にかかわらず常にＴ０以下の時間で待ち受け状態に戻れ、長時間基地局が受信できない状態にあった後、受信可能な状態になっても、待ち受け状態への復帰が遅くなることがなく、使用者の利便性が向上する。また、検索時間と停止時間を１つのタイマで計測可能であり、回路の簡略化が図れる。
【００４６】
図６（ｂ）は、検索時間と停止時間とを共に徐々に短くする例を示している。図６（ｂ）では、検索開始直後のＴ１の時間、基地局検索のための連続受信を行い、制御チャネルが受信できない場合は、Ｔ０１の時間、受信を停止し、その後、Ｔ２の時間基地局検索のための連続受信を行う。再度、制御チャネルが受信できない場合は、Ｔ０２の時間、受信を停止し、その後、Ｔ３の時間基地局検索のための連続受信を行う。以降、Ｔ０３の時間の受信停止とＴ３の時間の連続受信とを繰り返しながら、制御チャネルが受信されるまで基地局の検索動作を行う。このとき、連続受信と停止時間の合計時間における連続受信の割合が徐々に小さくなるように検索時間と停止時間とを共に徐々に短くする。すなわち、（Ｔ１／（Ｔ１＋Ｔ０１））＞（Ｔ２／（Ｔ２＋Ｔ０２））＞（Ｔ３／（Ｔ３＋Ｔ０３））となるように検索時間と停止時間を制御する。
【００４７】
上記のように、本実施の形態では、連続受信と停止時間の合計時間における連続受信の割合が徐々に小さくなるように検索時間と停止時間を徐々に短くするので、基地局の制御チャネルが受信できない状態が継続しても、消費電流を抑えることができる。また、通話終了時や基地局のエリア内での他基地局への待ち受け変更時など、基地局の制御チャネル
を受信可能な状態で検索動作が起動された場合、フェージングによる一時的な受信レベルの低下や無線干渉による妨害等による一時的な受信エラーの発生で基地局の制御チャネルの受信ができなかった場合において、検索開始直後は検索時間が長くなるように制御を行っており、基地局が受信できないと判断し受信を停止し、待ち受け状態へ復帰するのが遅くなる危険が少なく、使用者の利便性が向上する。また、検索の休止時間も短くするように制御を行うので、長時間基地局が受信できない状態にあった後、受信可能な状態になっても、待ち受け状態への復帰が遅くなることがなく、使用者の利便性が向上する。また、検索時間と停止時間を１つのタイマで計測可能であり、回路の簡略化が図れる。
【００４８】
図６（ｃ）は、検索時間を短くし停止時間を長くする例を示している。図６（ｃ）では、検索開始直後のＴ１の時間、基地局検索のための連続受信を行い、制御チャネルが受信できない場合は、Ｔ０の時間、受信を停止し、その後、再度、Ｔ１の時間、基地局検索のための連続受信を行い、制御チャネルが受信できない場合は、Ｔ０１の時間、受信を停止を行う。そして、Ｔ２の時間、基地局検索のための連続受信を開始する。再度、制御チャネルが受信できない場合は、Ｔ０２の時間、受信を停止し、その後、Ｔ２の時間基地局検索のための連続受信を行う。以降、Ｔ０２の時間の受信停止とＴ２の時間の連続受信を繰り返しながら制御チャネルが受信されるまで基地局の検索動作を行う。上記のように、本実施の形態では、検索時間を短くし停止時間を長くするように制御するので、基地局の制御チャネルが受信できない状態が継続しても、更に消費電流を抑えることができる。また、通話終了時や基地局のエリア内での他基地局への待ち受け変更時など、基地局の制御チャネルを受信可能な状態で検索動作が起動された場合、フェージングによる一時的な受信レベルの低下や無線干渉による妨害等による一時的な受信エラーの発生で基地局の制御チャネルの受信ができなかった場合において、検索開始直後は検索時間が長くなるように制御を行っており、基地局が受信できないと判断し受信を停止し、待ち受け状態へ復帰するのが遅くなる危険が少なく、使用者の利便性が向上する。また、検索時間と停止時間を１つのタイマで計測可能であり、回路の簡略化が図れる。また、繰り返しの途中で検索時間及び停止時間を１回のみ変更する処理で制御が可能になり、検索の繰り返し毎に検索時間及び停止時間を計算する必要がなく処理の軽減が図れる。なお、図６（ｃ）の例では、検索時間および停止時間を１回のみ変更する例を示したが、あらかじめ決められた繰り返しの時点で２回以上検索時間および停止時間を変更するようにしてもよい。
【００４９】
次に、図７を用いて、図５の無線通信装置が基地局の検索を行う検索方法（制御用データ検索方法）を説明する。
【００５０】
図７のフローチャートは、無線通信装置が電源オン時、通話終了後あるいは待ち受け中の基地局の制御チャネルの受信が困難になった時等に基地局の制御チャネルの検索を行う場合の制御フローを示しており、図６（ａ）にしめす検索と停止を繰り返す制御を実現する例を示している。
【００５１】
基地局の制御チャネルの検索が開始されると、まず初期値の設定として検索回数と初回の検索時間Ｔが設定される（Ｓ１１）。本実施の形態では、初回の検索時間を１０秒に設定する。引き続き、検索時間をカウントするためにタイマが起動され、経過時間のカウントを開始すると共に、検索開始の制御すなわち無線部１０１の受信回路を基地局の制御チャネルの受信が可能な状態にし連続受信状態にする制御が実施される（Ｓ１２）。この初回のステップＳ１２で設定されるタイマの設定値は、ステップＳ１１で設定した検索時間Ｔの値すなわち１０秒が設定される。検索開始後は、基地局が受信できたか否かの判定（Ｓ１３）と検索時間満了を検知するタイマが満了したか否かの判定が行われる（Ｓ１４）。連続受信中に基地局が受信された場合、基地局が受信できたか否かの判定ステップＳ１３にて“Ｙｅｓ”となり検索が終了し、引き続き、基地局の制御チャネルの送信タイミングに同期した間欠受信動作へ移行する（図示せず）。基地局の制御チャネルが受信できな
い状態が続く場合、タイマが満了するまで基地局の検出が継続され、タイマが満了した場合、タイマが満了したか否かの判定が行われるステップＳ１４にて“Ｙｅｓ”となり、検索を停止すなわち受信を停止し、休止時間のカウント用のタイマを設定し（本実施の形態では休止時間を６秒に設定する例を示す）起動する制御（Ｓ１５）へ移行する。そして、休止時間をカウントするタイマが満了したか否かの判定が行われる（Ｓ１６）。タイマが満了した場合，タイマが満了したか否かの判定が行われるステップ１６にて“Ｙｅｓ”となり、検索回数をカウントアップするステップＳ１７に移行する。そして、検索回数の判定を行い（Ｓ１８）、検索回数が規定回数未満であれば、検索回数に応じて検索時間を可変するステップＳ１９に移行し、規定回数以上であれば、検索時間を固定値に設定するステップＳ２０に移行する。本実施の形態では、ステップＳ１８で判定される検索回数の規定回数を３回とし、検索回数（検索リトライ回数）が規定回数に達していない場合は検索時間を２秒ずつ減算し、検索回数が規定回数に達した後は検索時間を６秒にするように制御を行う。従って、本実施の形態は、１回目の検索時間が満了した場合、次回の検索時間は８秒が設定される。ステップＳ１９またはステップＳ２０にて次回の検索時間が設定された後、ステップＳ１２に戻り、ステップＳ１９またはステップＳ２０にて設定された検索時間の値に設定された検索時間をカウントするタイマが起動され、経過時間のカウントを開始すると共に、検索開始の制御すなわち無線部１０１の受信回路を基地局の制御チャネルの受信が可能な状態にし連続受信状態にする制御が実施され、以後、基地局の制御チャネルが受信されるまで、検索時間Ｔによって決定される時間の連続受信と一定時間（本実施の形態では６秒）の休止時間が繰り返される。従って、本実施の形態の場合は、基地局検索の制御を開始すると、１０秒間の連続受信、６秒間の停止、８秒間の連続受信、６秒間の停止、それ以降、６秒間の連続受信、６秒間の停止が繰り返される。
【００５２】
なお、本実施の形態例では、ステップＳ１８の検索回数に応じた検索時間の設定を検索時間に応じて一様に減算する例を示したが，検索時間を短くする割合を最初は小さくし、徐々に大きくする方法も有効である。例えば，１回目の検索時間１０秒、２回目の検索時間９秒、３回目の検索時間７秒、４回目以降の検索時間４秒というように制御を行う。また、本実施の形態では、ステップＳ１８での検索回数による分岐を２つとしたが、複数の分岐を設け、より細かな検索回数に応じた検索時間の決定も可能である。例えば、検索回数が１０回未満は検索時間を１０秒、１０回以上１００回未満は検索時間を７秒、１００回以上は４秒にするような制御も可能である。
【００５３】
また、本実施の形態では、ステップＳ１５で停止時間を設定するタイマを固定値に設定する例を示したが、図６（ｂ）、（ｃ）に示すように、繰り返し回数に応じて連続受信と停止時間の合計における停止時間の割合が大きくなるように停止時間を可変に制御することも可能である。さらに、本実施の形態では、基地局検出結果の判定やタイマ満了の判定をＣＰＵで行いながら各ステップへ移行する制御フローの例を示したが、実施の形態１で説明したように、タイマ満了や基地局受信の割り込み処理によるステップの移行も可能である。
【００５４】
以上のように本実施の形態によれば、制御用データを送信する基地局と通信し、待ち受け中は基地局の制御用データを受信する無線通信装置であって、無線信号の受信を行う無線部１０１と、基地局が定期的に送信する制御用データを受信する時間と基地局が定期的に送信する制御用データを受信できなかった場合に無線部１０１を停止する時間とをカウントする計数部１１０と、全体を制御する制御部１３０とを有し、制御部１３０は、基地局が送信する制御用データを捕捉するために計数部１１０で決められた時間だけ無線部１０１を基地局の制御用データを受信するように制御し、制御用データを受信できなかった場合には、計数部１１０で決められた時間だけ無線部１０１の受信動作を停止するように制御し、計数部１１０で決められた時間経過後に再度計数部１１０で決められた時間だけ無線部１０１を基地局の制御用データを受信するように制御を繰り返し、基地局の制御デ
ータを受信できずに受信を繰り返す場合には、少なくとも１回は受信時間を前回の受信時間より小さくすると共に受信区間とそれに続く停止区間において受信区間の割合を前回の割合と同じか小さくするように計数部１１０で計時される時間を制御することにより、基地局が受信できない環境下において基地局検索の為の受信時の電流が消費される時間を短くすることができ、基地局が受信できない間に消費される電流を少なくすることができると同時に、基地局が受信できない環境下で消費電流削減のために設けた検索休止時間を長くすることなく検索と休止を繰り返すことにより、受信ができない状態の継続時間にかかわらず、受信可能な状態になったときに待ち受け状態への復帰の遅れを小さくすることができ、また、検索開始時の一時的な基地局の受信エラーが発生した場合、検索開始時は検索時間を長くするように制御を行っており、基地局を受信できなかったと判断して検索を中止し、待ち受け状態への復帰が遅れることを少なくすることができる。
【産業上の利用可能性】
【００５５】
本発明は、無線信号によって通信を行うＴＤＭＡ方式の無線通信装置および基地局からの制御用データを検索するための制御用データ検索方法に関し、基地局の圏外におかれた場合の消費電流を抑制することができる。
【図面の簡単な説明】
【００５６】
【図１】本発明の実施の形態１による無線通信装置を示すブロック図
【図２】（ａ）基地局の制御用データの送信タイミングを示すタイミング図、（ｂ）無線通信装置（端末）における受信タイミングを示すタイミング図
【図３】無線通信装置における検索タイミングを示すタイミング図
【図４】図１の無線通信装置の動作を示すフローチャート
【図５】本発明の実施の形態２による無線通信装置を示すブロック図
【図６】（ａ）検索のタイミングを示すタイミング図、（ｂ）検索のタイミングを示すタイミング図、（ｃ）検索のタイミングを示すタイミング図
【図７】図５の無線通信装置の動作を示すフローチャート
【符号の説明】
【００５７】
１００    アンテナ
１０１    無線部
１０２    フレーム処理部
１０３    音声処理部
１０４    マイク
１０５    スピーカ
１０６    操作部
１０７    表示部
１０８    第１の計数部
１０９    第２の計数部
１１０    計数部
１２０、１３０    制御部
【図１】
2005167749.tif 000003
【図２】
2005167749.tif 000004
【図３】
2005167749.tif 000005
【図４】
2005167749.tif 000006
【図５】
2005167749.tif 000007
【図６】
2005167749.tif 000008
【図７】
2005167749.tif 000009